(57)【要約】  少なくとも１つの信号発生器と、前記信号発生器の信号を検出するための少なくとも１つのセンサとを含む、浄水装置内の濾過装置を検出するための装置であって、前記浄水装置は、少なくとも作動モード又は休止モードに設定可能である。  前記浄水装置は、前記信号発生器から送出された少なくとも１つの信号が前記センサによって検出された場合にのみ、前記作動モードに設定可能であるように構成されている。  前記装置で使用される濾過装置及び吸引ヘッド。  前記装置で使用される濾過装置及び吸引ヘッドを含むシステム。【選択図】図６
2019532810.tif 000002
【特許請求の範囲】
【請求項１】
少なくとも１つの信号発生器（１３）と、前記信号発生器（１３）の信号を検出するための少なくとも１つのセンサ（１２）とを含む、浄水装置（１）内の濾過装置（１４）を検出するための装置（Ａ）であって、
前記浄水装置（１）は、少なくとも作動モード又は休止モードに設定可能であり、
前記浄水装置（１）は、前記信号発生器（１３）から送出された少なくとも１つの信号が前記センサ（１２）によって検出された場合にのみ、前記作動モードに設定可能であるように構成されていることを特徴とする、装置（Ａ）。
【請求項２】
前記信号発生器（１３）は、前記濾過装置（１４）のフランジ装置（１５）上に、前記センサ（１２）は、前記浄水装置（１）の吸引ヘッド（３）上に、それぞれ配置されており、それによって、前記信号発生器（１３）から送出された少なくとも１つの信号が前記センサ（１２）によって検出可能であることを特徴とする、請求項１に記載の装置（Ａ）。
【請求項３】
前記信号発生器（１３）は少なくとも１つの磁石の形態で、前記センサ（１２）は少なくとも１つの磁気センサ、特にホールセンサの形態で、それぞれ構成されていることを特徴とする、請求項２に記載の装置（Ａ）。
【請求項４】
前記信号発生器（１３）は円形の断面積を有し、前記フランジ装置（１５）は前記吸引ヘッド（３）の注入口（１０）を受容するための円形の断面積を有する凹部（１７）を備え、前記信号発生器（１３）は、前記信号発生器（１３）の前記断面積の中心点（Ｐ）が、１つの方向（Ｂ）において１０〜２０ｍｍ、特に１６ｍｍの間隔で、１つの方向（Ｅ）において４０〜６０ｍｍ、特に５０ｍｍの間隔で、前記凹部（１７）の前記断面積の中心点（Ｍ）から隔たっているような態様で、前記フランジ装置（１５）に位置付けられていることを特徴とする、請求項１〜３のいずれか１項に記載の装置（Ａ）。
【請求項５】
請求項１〜４のいずれか１項に記載の装置（Ａ）で使用される濾過装置（１４）。
【請求項６】
請求項１〜４のいずれか１項に記載の装置（Ａ）で使用される吸引ヘッド（３）。
【請求項７】
請求項１〜４のいずれか１項に記載の装置（Ａ）で使用される濾過装置（１４）及び吸引ヘッド（３）を含むシステム。
【発明の詳細な説明】
【技術分野】
【０００１】
本発明は、少なくとも１つの信号発生器と、信号発生器の信号を検出するための少なくとも１つのセンサとを含む、浄水装置内の濾過装置を検出するための装置に関し、その際、浄水装置は、少なくとも作動モード又は休止モードに設定可能である。浄水装置の代わりに、集塵機も使用され得る。
【０００２】
更に、本発明は、本発明による装置で使用するための濾過装置及び吸引ヘッドに関する。更に、本発明は、濾過装置と、本発明による装置で使用するための吸引ヘッドと、を含むシステムに関する。
【背景技術】
【０００３】
浄水装置は、水再利用システムを具現し、当該システムにおいては、コアドリル又は丸ノコを伴う閉じた循環路内を水が循環する。しかしながら、浄水装置の代替的な作動態様によれば、水が工作機械を伴う循環路内を循環するのではなく、単に浄水装置から工作機械に搬送されることもあり得る。例えばコンクリート又は石のような鉱物材料を切断するためにコアドリル又は丸ノコを使用する場合、工具、即ちドリルビット又は鋸刃を、冷却し洗浄することが必要である。工具の洗浄は、材料の加工の際に生じるダスト及びスラッジを工具から洗い流すのに役立つ。通常、コアドリル又は丸ノコの工具は、水で冷却され洗浄される。水が、このために浄水装置内で使用可能とされる。浄水装置の受容容器内には、水が貯蔵されている。浄水装置のいわゆる吸引ヘッド内に配置され、通常は貯水タンクの上方に位置付けられている水ポンプによって、水は水管（水ホース）を経て工具に搬送される。水は循環路内を流れ、工具（ドリルビット又は鋸刃）が冷却され洗浄された後、第２の水管（水ホース）内を再び浄水装置に返送される。しかしながら、工具の冷却及び洗浄によって、水は、材料の加工中に形成されるダスト及びスラッジで汚染される。浄水装置の構成要素、特に水ポンプに、ダスト又はスラッジによって損傷を与えないために、汚染された水は濾過されなければならない。このために、浄水装置内には濾過装置がある。通常、濾過装置はフィルターバッグの形態で構成されており、このフィルターバッグによって、水は、再び貯水タンク内に達し吸引ヘッドのポンプによって再び工具に搬送され得る前に、濾過される。
【０００４】
浄水装置又は浄水装置の個々の構成要素、特にポンプへの損傷を回避するため、汚染された水がポンプによって搬送されることは許容されない。
【０００５】
しかしながら、市販されている浄水装置又は従来技術による浄水装置では、汚染された水がポンプ内に達し、ポンプが損傷を受ける可能性が高い。
【発明の概要】
【発明が解決しようとする課題】
【０００６】
したがって、本発明の課題は、上述した問題を解決すること、及び、とりわけ、浄水装置、特に浄水装置のポンプの損傷の可能性を低減し得る装置を利用可能とすることである。更に、課題は、濾過装置、吸引ヘッド、及び、本発明による装置で使用するための濾過装置及び吸引ヘッドを含むシステムを提供することである。
【課題を解決するための手段】
【０００７】
当該課題は、独立請求項１、４、５及び６の主題によって解決される。本発明による主題の有利な実施形態は、従属請求項に含まれている。
【０００８】
上記課題は、その際、少なくとも１つの信号発生器と、前記信号発生器の信号を検出するための少なくとも１つのセンサとを含む、浄水装置内の濾過装置を検出するための装置であって、前記浄水装置が、少なくとも作動モード又は休止モードに設定可能であるような装置を提供することによって解決される。
【０００９】
本発明に従って、前記浄水装置は、前記信号発生器から送出された少なくとも１つの信号が前記センサによって検出された場合にのみ、前記作動モードに設定可能であるように構成されていることが企図されている。これにより、濾過装置が浄水装置内に正しく配置された場合にのみ、浄水装置が、吸引ヘッドのポンプが水を汲み上げる作動モードで運転され得ることが保障され、それによって、濾過された水のみがポンプに入り、ポンプの損傷の可能性が最小化される。更に、これによって、浄水装置の使用者には、濾過装置を浄水装置の内部に正しく配置するために、簡単で効果的なガイダンスが提供される。浄水装置が休止モードから作動モードに切り換わらないことによって、使用者は、正規でない即ち不適切な濾過装置が浄水装置内にあること、あるいは、正規の濾過装置ではあるが浄水装置内に正しく配置されていないこと、並びに、浄水装置が使用され得る前にこれが是正されなければならないことを、認識することができる。
【００１０】
本発明の有利な実施形態によれば、信号発生器は濾過装置のフランジ装置に、センサは浄水装置の吸引ヘッドに、それぞれ配置されることが可能であり、その結果、信号発生器によって送出された少なくとも１つの信号が、センサによって検出され得る。これによって、その内部に保護すべきポンプが配置された吸引ヘッドに対する、濾過装置の正確な位置付け、及び、それにより濾過装置の正規の配置が、保障され得る。
【００１１】
本発明の更なる有利な実施形態によれば、信号発生器は少なくとも１つの磁石の形態で、センサは少なくとも１つの磁気センサ、特にホールセンサの形態で、それぞれ構成されていることが可能であり得る。これによって、簡単な方法で、比較的安価で、同時に信頼性の高い信号発生器及びセンサが提供される。磁石は、永久磁石の形態で構成され得る。
【００１２】
本発明の有利な実施形態によれば、信号発生器は円形の断面積を有し、フランジ装置は吸引ヘッドの注入口を受容するための円形の断面積を有する凹部を備え、信号発生器は、信号発生器の断面積の中心点が、１つの方向Ｂにおいて１０〜２０ｍｍ、特に１６ｍｍの間隔で、１つの方向Ｅにおいて４０〜６０ｍｍ、特に５０ｍｍの間隔で、凹部の断面積の中心点から隔たっているような態様で、フランジ装置に位置付けられていることが可能である。これによって、吸引ヘッドの注水口に対する濾過装置の凹部の可能な限り正確な位置決め又は配置が保証され得る。正確な位置決め又は配置により、濾過装置の確実な保持及び適切な充填が保障され、汚染された水が濾過装置を通過して濾過された水を伴う貯水タンク内に達することはない。
【００１３】
更なる利点は、以下の図面の説明から明らかになる。図面には、本発明の様々な実施例が示されている。図面、説明及び特許請求の範囲は、多数の特徴を組み合わせて含んでいる。当業者は、目的に合わせて特徴を個々にも見るであろうし、有意義な更なる組み合わせへと統合もするであろう。
【００１４】
図面において、同一及び同様の構成要素には、同一の参照番号が付されている。
【図面の簡単な説明】
【００１５】
【図１】吸引ヘッド及び貯水タンクを備える浄水装置の、分解された状態における斜視図である。
【図２】浄水装置の吸引ヘッドの斜視図である。
【図３】第１の方向における浄水装置の貯水タンクの斜視図である。
【図４】第２の方向における浄水装置の貯水タンクの斜視図である。
【図５】フィルターバッグの形態の濾過装置を、フランジ装置及びフランジ保持装置と共に示している。
【図６】貯水タンクを濾過装置のフランジ装置と共に示す第１の斜視図である。
【図７】貯水タンクを濾過装置のフランジ装置と共に示す第２の斜視図である。
【図８】吸引ヘッドの一部の第１の底面図である。
【図９】吸引ヘッドの一部を濾過装置のフランジ装置と共に示す第２の底面図である。
【図１０】吸引ヘッドを濾過装置のフランジ装置と共に示す全体的な底面図である。
【図１１】濾過装置のフランジ装置の平面図である。
【図１２】濾過装置のフランジ装置の底面図である。
【図１３】濾過装置のフランジ装置の上面をフランジ保持装置と共に示す斜視図である。
【図１４】濾過装置のフランジ装置の下面をフランジ保持装置と共に示す斜視図である。
【図１５】フランジ保持装置の斜視図である。
【図１６】フランジ保持装置をフランジ装置と共に示す詳細図である。
【発明を実施するための形態】
【００１６】
図１は、浄水装置１を、分解された又は解体された状態で示している。浄水装置１は、本質的に、濾過装置１４を検出するための装置Ａ、貯水タンク２及び吸引ヘッド３を含んでいる。吸引ヘッド３は、デバイスヘッドとも称され得る。
【００１７】
図１、３及び４に示されているように、貯水タンク２は、本質的にバスタブの形態で構成されており、水を貯蔵又は受容するために用いられる。貯水タンク２は、第１、第２、第３、第４の側壁２ａ、２ｂ、２ｃ、２ｄ及び底部２ｅを含んでいる。更に、貯水タンク２は、周縁部４を含んでいる。第１の側壁２ａの内側には、フランジ保持装置６のための受容装置５が配置されている。受容装置５及びフランジ保持装置６の両方について、以下で詳細に説明される。
【００１８】
貯水タンク２の底部２ｅには、４つの車輪が設けられており、それによって、貯水タンク２又は組み立てられた状態において浄水装置１の全体が、移動され得る。
【００１９】
組み立てられた状態において、吸引ヘッド３は貯水タンク２の上に位置付けられており、取り外し可能に貯水タンク２と接続されている。
【００２０】
図１及び２に示されているように、吸引ヘッド３は、第１、第２、第３、第４の側壁３ａ、３ｂ、３ｃ、３ｄ、下部３ｅ、及び蓋３ｆを含んでいる。更に、吸引ヘッド３は、水を汲み上げることができるポンプを含んでいる。しかしながら、複数のポンプが浄水装置１に含まれていることも可能である。ポンプは、図には示されていない。第１の側壁３ａには、様々な制御要素７、表示装置８、及び、図示されていない工作機械からの汚染された水のための水接続部９が設けられている。水接続部９は（図示されていない）導管に通じており、この導管は、最終的に、吸引ヘッド３の下部１１の注水口１０に通じている（図２参照）。
【００２１】
図７、８及び９に示されているように、注水口１０は円筒状の管の形態で実現されている。更に、吸引ヘッド３の下部１１には、磁気センサの形態のセンサ１２が配置されている。図示された実施例において、センサ１２はホールセンサである。センサ１２は、磁石１３の信号、即ち磁石１３によって生成された磁界を検出するために用いられ、矢印Ｅの方向において注水口１０に隣接して配置されている。センサ１２は、吸引ヘッド３内の図示されていない制御ユニットと接続されている。センサ１２は、磁石１３の信号（即ち磁界）を検出又は受信すると、検出された信号を制御ユニットに送る。受信された信号に応じて、浄水装置１は、制御ユニットによって作動モード又は休止モードのいずれかに切り換えられる。作動モードにおいて、水は、ポンプによって、貯水タンク２から浄水装置１と接続された工作機械に搬送される。続いて、水は、ポンプによって、再び工作機械から返送され、濾過装置１４内で濾過される。
【００２２】
続いて、濾過された水は、再び貯水タンク２に達し、その結果、濾過された水は、再び工作機械に搬送されることができる。水は、工作機械と浄水装置１の間の循環路内で移動する。休止モードにおいて、ポンプから水は搬送されない。作動モード及び休止モードの両方が、表示装置８に視覚的及び／又は音響的に示される。しかしながら、浄水装置１が、作動モード及び休止モードに加え、追加のモードを含むことも可能である。
【００２３】
したがって、例えば、浄水装置１が、水が貯水タンク２から工作機械に搬送されるだけで、続いて浄水装置１に返送されないモードを備えることが可能である。このモードにおいて、浄水装置１に濾過装置１４は必要ではない。
【００２４】
貯水タンク２の内部に、濾過装置１４を配置することができる。図５に示されているように、濾過装置１４は、本質的に、フランジ装置１５及びフィルターバッグ２５を含んでいる。フィルターバッグ２５は、フィルターザックとも称され得る。既に上述したように、濾過装置１４は、工作機械、又は、例えばドリルビット又は鋸刃のような工具から浄水装置１に返送される水を濾過するために用いられる。
【００２５】
図１１及び１２に示されているように、フランジ装置１５は、本質的に、上部１６ａ、下部１６ｂ、前縁１６ｃ、後縁１６ｄ、第１の側縁１６ｅ及び第２の側縁１６ｆを有するベースプレート１６を含んでいる。ベースプレート１６の中央には、中央の円形凹部１７がある。凹部１７は、穴とも称され得る。凹部１７は、吸引ヘッド３の注水口１０を受容するために用いられ、その結果、工作機械の汚染された水は、注水口１０を経て、凹部１７を通って、濾過装置１４内に達し得る。前縁１６ｃの２つの外端には、第１の接続要素１８ａ及び第２の接続要素１８ｂが設けられている。第１及び第２の接続要素１８ａ、１８ｂの両方は、接続システム１９の構成要素であり、当該システムによって、濾過装置１４のフランジ装置１５が、貯水タンク２のフランジ保持装置６と取り外し可能に接続され得る。接続システム１９は、本質的にスナップ接続の形態で構成されている。
【００２６】
ベースプレート１６の後縁１６ｂの外端には、第１のアーム要素２０ａ及び第２のアーム要素２０ｂが設けられている。第１及び第２のアーム要素２０ａ、２０ｂのそれぞれの自由端は、ハンドル２１を介して互いに接続されている。ハンドル２１は、濾過装置１４を支持するために用いられる。
【００２７】
第１及び第２のアーム要素２０ａ、２０ｂの両方は、それぞれ第１のヒンジ２２ａ及び第２のヒンジ２２ｂを介して移動可能にベースプレート１６と接続されており、その結果、第１のアーム要素２０ａ、第２のアーム要素２０ｂ及びハンドル２１は、回転軸Ｎの周りで矢印Ｒの方向に可逆的に旋回され得る。本実施例において、第１及び第２のヒンジ２２ａ、２２ｂはフィルムヒンジとして構成されている。
【００２８】
更に、ベースプレート１６の後縁１６ｄには、凹部１７を選択的に閉鎖するための閉鎖キャップ２３が、可撓性の接続ウェブ２４によって固定されている。閉鎖キャップ２３は、特に充填された濾過装置１４を閉鎖するために用いられる。
【００２９】
フィルターバッグ２５は可撓性材料で作られており、当該材料を、水は通過することができるが、汚れ粒子は通過することができない。フィルターバッグ２５は、円形の開口部２６を含み、フランジ装置１５のベースプレート１６の下部１６ｂに固定されている。開口部２６は、吸引ヘッド３の注水口１０を受容するために用いられ、その結果、汚染された水は、フィルターバッグ２５の内部に達することができる。その際、フィルターバッグ２５の円形の開口部２６は、ベースプレート１６の中央の円形凹部１７の下方に配置されており、その結果、開口部２６と凹部１７は重なり合う。その際、フィルターバッグ２５の開口部２６の直径は、フランジ装置１５の凹部１７の直径よりも小さい。その際、開口部２６の直径は、本質的に、吸引ヘッド３の注水口１０の直径に対応する。その際、濾過装置１４が吸引ヘッド３と接続されると、凹部１７内に突出するフィルターバッグ材料は、フランジ装置１５の注水口１０と凹部１７との間のシールとして機能する。
【００３０】
図１２及び１４に示されているように、フランジ装置１５のベースプレート１６は、下部１６ｂに、信号発生器のための円形の受容部２７を含んでいる。信号発生器は、円形の磁石１３の形態で構成されており、受容部内に位置付けられている。磁石として構成された信号発生器１３は、円形の断面積と中心点Ｐを有している。ベースプレート１６の円形凹部１７も、中心点Mを有する円形の断面積を備えている。中心点Ｐは、中心点Mまで、矢印Ｂの方向に１６ｍｍの間隔、即ち距離Ｓを有し、矢印Ｄの方向に５０ｍｍの間隔、即ち距離Ｑを有している。組み立てられた状態において、即ち濾過装置１４が貯水タンク内にあり、吸引ヘッド３が貯水タンク２の上にあるとき、磁石は、方向Ｆにおいて吸引ヘッド３のセンサ１２の下に位置しており、その結果、センサ１２は、磁石又は磁石１３の信号を検出することができる。
【００３１】
その際、ベースプレート１６の強度及び磁石１３の磁力は、磁石１３の磁界がベースプレート１６を通過し、十分な強度でセンサ１２に達し得るように選択されている。
【００３２】
図１５に示されているように、フランジ保持装置６は、第１の保持装置２８ａ及び第２の保持装置２８ｂを含んでいる。第１の保持装置２８ａは、２つの受容要素２９ａ、２９ｂを含み、受容装置５への固定のために用いられる（図４参照）。２つの受容要素２９ａ、２９ｂは、受容装置５の２つの対応するピンに、矢印Ｆの方向に差し込まれる。第２の保持装置２８ｂは、２つの受容要素３０ａ、３０ｂを備え、その各々に、第１及び第２の接続要素１８ａ、１８ｂが位置付けられ得る。２つの受容要素２９ａ、２９ｂは、同様に、上述した接続システム１９の構成要素であり、当該システムによって、濾過装置１４のフランジ装置１５が、貯水タンク２のフランジ保持装置６に取り外し可能に接続され得る。
【００３３】
濾過装置の組立及び機能態様：
濾過装置１４を浄水装置１内に配置するために、まず吸引ヘッド３が貯水タンク２から取り外される（図１参照）。
フランジ保持装置６は、受容装置５に、矢印Ｆの方向に差し込まれている。
濾過装置１４のフランジ装置１５は、フランジ保持装置６に固定される。図１３及び１４において、フランジ装置１５は、フランジ保持装置６と嵌合した状態にある。それによって、濾過装置１４は、貯水タンク２内にある。
続いて、吸引ヘッド３が再び貯水タンク２の上に位置決めされ固定される。吸引ヘッド３内のセンサ１２は、浄水装置１の組み立てられた状態において、磁石１３の信号、即ち磁界を検出するために、矢印Ｆと逆の方向において磁石１３の上にある（図８及び９参照）。磁石の磁界、即ち信号がセンサ１２によって検出されると、対応する信号が制御ユニットに送られ、浄水装置１の作動モードが設定される。
センサ１２によって信号が検出されない場合、対応する信号は制御ユニットに送られず、浄水装置１の休止モードが設定される。
【図１】
2019532810.tif 000003
【図２】
2019532810.tif 000004
【図３】
2019532810.tif 000005
【図４】
2019532810.tif 000006
【図５】
2019532810.tif 000007
【図６】
2019532810.tif 000008
【図７】
2019532810.tif 000009
【図８】
2019532810.tif 000010
【図９】
2019532810.tif 000011
【図１０】
2019532810.tif 000012
【図１１】
2019532810.tif 000013
【図１２】
2019532810.tif 000014
【図１３】
2019532810.tif 000015
【図１４】
2019532810.tif 000016
【図１５】
2019532810.tif 000017
【図１６】
2019532810.tif 000018
【国際調査報告】
2019532810.tif 000019
2019532810.tif 000020
2019532810.tif 000021
2019532810.tif 000022